(57)【要約】【課題】電線接続部の形状に拘わらず、導体露出部を絶縁保護する。【解決手段】絶縁保護カバー１０は、樹脂製のカバー本体１１と、カバー本体１１に設けられた留め部１２とを備える。カバー本体１１を、矩形状であって、矩形の長手方向に伸縮する蛇腹状に形成する。留め部１２によって、矩形の長手方向が軸方向となる筒形状に曲げたカバー本体１１を、矩形の長辺同士を突き合わせて閉じる。カバー本体１１には、矩形の長手方向に延び、カバー本体１１の厚みよりも薄い薄肉部１６を設ける。薄肉部１６によりカバー本体１１の筒の各端部１７を絞り込み、端部１７の径をカバー本体１１の筒の中央部１８の径よりも小さくする。【選択図】図４
2007288884.tif 000002
【特許請求の範囲】
【請求項１】
架空配電線の導体露出部を覆う絶縁保護カバーであって、
矩形状であって、該矩形の長手方向に伸縮する蛇腹状に形成された樹脂製のカバー本体と、
上記カバー本体に設けられ、上記矩形の長手方向が軸方向となる筒形状に曲げた上記カバー本体を、上記矩形の長辺同士を突き合わせて閉じる留め部と、
を備え、
上記カバー本体には、上記矩形の長手方向に延び、該カバー本体の厚みよりも薄い薄肉部が設けられ、
上記薄肉部により上記カバー本体の筒の各端部が絞り込まれ、該端部の径が該カバー本体の筒の中央部の径よりも小さくなる絶縁保護カバー。
【請求項２】
請求項１の絶縁保護カバーにおいて、
上記カバー本体の筒の各端部は、上記薄肉部が折れ曲がり、該端部の一部が重なって絞り込まれる絶縁保護カバー。
【請求項３】
請求項１の絶縁保護カバーにおいて、
上記留め部は、上記カバー本体の両長辺に、一組または上記矩形の長手方向に間隔をあけて複数組設けられ、互いに嵌合する嵌合部材である絶縁保護カバー。
【請求項４】
請求項１の絶縁保護カバーにおいて、
上記薄肉部は、上記矩形の短辺方向に間隔をあけて２箇所以上８箇所以下設けられている絶縁保護カバー。
【請求項５】
架空配電線における、導体が絶縁被膜で被われた複数の電線と、
上記電線の先端部の絶縁被膜をはぎ取って露出させた導体同士が電気的に接続された導体露出部と、
請求項１から４のいずれか１つに記載された絶縁保護カバーと、
によって構成される電線接続部の絶縁保護構造であって、
上記カバー本体の筒の軸方向中央部に上記導体露出部が収容され、
上記カバー本体の筒の両端部が絞り込まれ、上記導体露出部から延びる上記各電線に重ねられる電線接続部の絶縁保護構造。
【請求項６】
請求項５の電線接続部の絶縁保護構造において、
上記カバー本体の筒の両端部から該両端部の外側の上記電線に亘って絶縁性のテープ材が巻かれる電線接続部の絶縁保護構造。
【請求項７】
請求項１から４のいずれか１つの絶縁保護カバーであって、上記カバー本体の上記矩形の長手方向の長さが、導体が絶縁被膜で被われた複数の電線の先端部の絶縁被膜をはぎ取って露出させた導体同士を電気的に接続した導体露出部を１つ、または、複数有する電線接続部の長さよりも長い絶縁保護カバーを用意する工程と、
上記カバー本体を上記矩形の長手方向が軸方向となる筒形状に曲げ、該カバー本体内の軸方向中央部に上記導体露出部を内包する工程と、
上記矩形の長辺同士を突き合わせて、上記カバー本体を上記留め部により閉じる工程と、
上記カバー本体の両端部を絞り込んで、上記導体露出部から延びる上記電線に重ねる工程と、
を備える導体露出部への絶縁保護カバー取付方法。
【請求項８】
請求項７の導体露出部への絶縁保護カバー取付方法において、
上記絶縁保護カバーを用意する工程は、上記カバー本体の長さが２５ｃｍ以上である上記絶縁保護カバーを用意し、その後上記カバー本体の１箇所を上記矩形の長手方向に垂直な方向に切断して上記カバー本体の長さを調節する導体露出部への絶縁保護カバー取付方法。
【請求項９】
請求項３の絶縁保護カバーであって、上記カバー本体の上記矩形の長手方向の長さが２５ｃｍ以上である上記絶縁保護カバーを用意する工程と、
上記カバー本体の上記複数の嵌合部材間の１箇所を上記矩形の長手方向に垂直な方向に切断して、上記カバー本体の長さを調節する工程と、
上記カバー本体を上記矩形の長手方向が軸方向となる筒形状に曲げ、該カバー本体内の軸方向中央部に、導体が絶縁被膜で被われた複数の電線の先端部の絶縁被膜をはぎ取って露出させた導体同士を電気的に接続した導体露出部を内包する工程と、
上記矩形の長辺同士を突き合わせて、上記カバー本体を上記嵌合部材の嵌合により閉じる工程と、
上記カバー本体の両端部を絞り込んで、上記導体露出部から延びる上記電線に重ねる工程と、
を備える導体露出部への絶縁保護カバー取付方法。
【請求項１０】
請求項７の導体露出部への絶縁保護カバー取付方法において、
上記カバー本体の上記矩形の長手方向の長さが、上記電線接続部の長さよりも長い絶縁保護カバーを用意する工程は、上記カバー本体の長さを、上記導体露出部の長さよりも１５ｃｍ以上長くする導体露出部への絶縁保護カバー取付方法。
【請求項１１】
請求項９の導体露出部への絶縁保護カバー取付方法において、
上記カバー本体の長さを調節する工程は、上記カバー本体の上記矩形の長手方向の長さを、上記導体露出部の長さよりも１５ｃｍ以上長くする導体露出部への絶縁保護カバー取付方法。
【請求項１２】
請求項７または９の導体露出部への絶縁保護カバー取付方法において、
上記カバー本体の両端部から該両端部の外側の上記電線に亘って絶縁性のテープ材を巻く工程をさらに備える導体露出部への絶縁保護カバー取付方法。
【発明の詳細な説明】
【技術分野】
【０００１】
本発明は、架空配電線の導体露出部を覆う絶縁保護カバー、絶縁保護構造及び絶縁保護カバー取付方法に関するものである。
【背景技術】
【０００２】
従来より、架空配電線の電線接続部において、導体露出部を覆う直線状の絶縁保護カバーが知られている（例えば、特許文献１参照）。導体露出部は、複数の電線の先端部の絶縁被膜をはぎ取って露出させた導体同士を、Ｈスリーブ等の接続スリーブで電気的に接続した部分である。この導体露出部を電気的に絶縁保護して電気的安全性を確保するために、絶縁保護カバーが導体露出部に被せられる。絶縁保護カバーは、絶縁性の樹脂材料からなる筒形状のカバー本体と、カバー本体の両端に開けられた電線口とを備えている。
【特許文献１】特開２００１−３０９５４１号公報
【発明の開示】
【発明が解決しようとする課題】
【０００３】
上記絶縁保護カバーは、カバー本体の側面に設けられた挿入部を開いて、導体露出部を挿入し、導体露出部から延びる電線が各電線口を通るように、導体露出部を収容して挿入部を閉じるように構成されている。しかしながら、電線接続部の中には、導体露出部から電線が曲がって延びる部分となっているものもある。かかる部分に上記特許文献１のような直線状の絶縁保護カバーを取り付けようとすると、形状が合わず、カバー本体の挿入部が開いて、導体露出部が露出してしまう場合がある。このように露出した導体露出部に鳥等が接触すると、配電線事故につながるおそれがある。
【０００４】
本発明は、かかる点に鑑みてなされたものであり、その目的とするところは、電線接続部の形状に拘わらず、導体露出部を絶縁保護することにある。
【課題を解決するための手段】
【０００５】
本発明に係る絶縁保護カバーは、架空配電線の導体露出部を覆う絶縁保護カバーであって、矩形状であって、該矩形の長手方向に伸縮する蛇腹状に形成された樹脂製のカバー本体と、上記カバー本体に設けられ、上記矩形の長手方向が軸方向となる筒形状に曲げた上記カバー本体を、上記矩形の長辺同士を突き合わせて閉じる留め部とを備え、上記カバー本体には、上記矩形の長手方向に延び、該カバー本体の厚みよりも薄い薄肉部が設けられ、上記薄肉部により上記カバー本体の筒の各端部が絞り込まれ、該端部の径が該カバー本体の筒の中央部の径よりも小さくなるように構成されている。
【０００６】
本発明に係る電線接続部の絶縁保護構造は、架空配電線における、導体が絶縁被膜で被われた複数の電線と、上記電線の先端部の絶縁被膜をはぎ取って露出させた導体同士が電気的に接続された導体露出部と、請求項１から４のいずれか１つに記載された絶縁保護カバーとによって構成される電線接続部の絶縁保護構造であって、上記カバー本体の筒の軸方向中央部に上記導体露出部が収容され、上記カバー本体の筒の両端部が絞り込まれ、上記導体露出部から延びる上記各電線に重ねられるように構成されている。
【０００７】
上記の構成によると、カバー本体を伸縮、切断、曲げる等して変形させ、導体露出部の形状および大きさにカバー本体を合わせる。カバー本体内に導体露出部を収容し、留め部によりカバー本体を閉じる。カバー本体の筒の各端部を絞り込み、各端部の径がカバー本体の筒の中央部の径よりも小さくなるようにして、導体露出部から延びる各電線に重ねる。カバー本体の各端部は、各端部の薄肉部を折り曲げて端部の一部同士を互いに重ね、または、各端部の薄肉部を裂いて分割した端部片をそれぞれ重ねる等して絞り込む。これにより、導体露出部を絶縁保護カバーにより覆い、絶縁保護する。
【０００８】
本発明に係る第１の導体露出部への絶縁保護カバー取付方法は、請求項１から４のいずれか１つの絶縁保護カバーであって、上記カバー本体の上記矩形の長手方向の長さが、導体が絶縁被膜で被われた複数の電線の先端部の絶縁被膜をはぎ取って露出させた導体同士を電気的に接続した導体露出部を１つ、または、複数有する電線接続部の長さよりも長い絶縁保護カバーを用意する工程と、上記カバー本体を上記矩形の長手方向が軸方向となる筒形状に曲げ、該カバー本体内の軸方向中央部に上記導体露出部を内包する工程と、上記矩形の長辺同士を突き合わせて、上記カバー本体を上記留め部により閉じる工程と、上記カバー本体の両端部を絞り込んで、上記導体露出部から延びる上記電線に重ねる工程とを備えている。
【０００９】
上記の構成によると、カバー本体の長さを導体露出部の長さと対比して、カバー本体を伸縮、切断等してカバー本体の長さを調節する。長さの調節は、電線接続部が１つの導体露出部を有する場合には、カバー本体が導体露出部よりも長くなるように、導体露出部を複数有する場合には、複数の導体露出部が並ぶ部分の長さよりもカバー本体が長くなるようにして行う。なお、電線接続部とは、複数の電線を導体露出部で連結して電気的に接続した部分である。カバー本体内に導体露出部を収容し、留め部によりカバー本体を閉じる。カバー本体の筒の各端部を絞り込み、各端部の径がカバー本体の筒の中央部の径よりも小さくなるようにして、導体露出部から延びる各電線に重ねる。これにより、導体露出部を絶縁保護カバーにより覆い、絶縁保護する。
【００１０】
本発明に係る第２の導体露出部への絶縁保護カバー取付方法は、請求項３の絶縁保護カバーであって、上記カバー本体の上記矩形の長手方向の長さが２５ｃｍ以上である上記絶縁保護カバーを用意する工程と、上記カバー本体の上記複数の嵌合部材間の１箇所を上記矩形の長手方向に垂直な方向に切断して、上記カバー本体の長さを調節する工程と、上記カバー本体を上記矩形の長手方向が軸方向となる筒形状に曲げ、該カバー本体内の軸方向中央部に、導体が絶縁被膜で被われた複数の電線の先端部の絶縁被膜をはぎ取って露出させた導体同士を電気的に接続した導体露出部を内包する工程と、上記矩形の長辺同士を突き合わせて、上記カバー本体を上記嵌合部材の嵌合により閉じる工程と、上記カバー本体の両端部を絞り込んで、上記導体露出部から延びる上記電線に重ねる工程とを備えている。
【００１１】
上記の構成によると、カバー本体の長さが２５ｃｍ以上であり、導体露出部の長さよりも１５ｃｍ以上長い絶縁保護カバーが用意される。これにより、導体露出部と、導体露出部から延び、絶縁被膜で被われた電線の一部とを被うことのできる絶縁保護カバーとなる。カバー本体の長さを導体露出部の長さと対比し、カバー本体の複数の嵌合部材間の１箇所を切断して、カバー本体の長さを調節する。カバー本体内に導体露出部を収容し、留め部によりカバー本体を閉じる。カバー本体の筒の各端部を絞り込み、各端部の径がカバー本体の筒の中央部の径よりも小さくなるようにして、導体露出部から延びる各電線に重ねる。これにより、導体露出部を絶縁保護カバーにより覆い、絶縁保護する。
【発明の効果】
【００１２】
本発明によれば、電線接続部の形状に拘わらず、導体露出部を絶縁保護することができる。
【発明を実施するための最良の形態】
【００１３】
以下、本発明の実施形態を図面に基づいて詳細に説明する。
【００１４】
本発明の実施形態に係る絶縁保護カバー１０は、図１に示す架空配電線１において、電線接続部２０の導体露出部２２を覆って絶縁保護するものである。架空配電線１は、発電所または変電所から送られる電気を運ぶ電線路であり、電柱２、電柱２間に架設される電線４、電線４を絶縁支持する碍子等を含む。電線接続部２０は、図４および図５に示すような、複数の電線４を連結して電気的に接続する接続部２０ａや、図６および図７に示すような、電線４の本線に分岐線４ｄを接続するための分岐部２０ｂ等である。また、図８に示すように、後述する導体露出部２２の１つから延びる電線４を工事、点検等のために切断して再び接続した場合のように、複数の導体露出部２２が並べて設けられる接続部２０ａにおいても当該絶縁保護カバー１０が用いられる。
【００１５】
図２および図３に示すように、絶縁保護カバー１０は、矩形状であって、矩形の長手方向が軸方向となる筒形状に曲げられた樹脂製のカバー本体１１を備えている。カバー本体１１は、断面が楕円形状になるように曲げられている。カバー本体１１は、矩形の長手方向に伸縮する蛇腹状に形成されている。カバー本体１１の両長辺によって開口部１１ａが構成されている。絶縁保護カバー１０は、カバー本体１１に設けられた留め部１２を備えている。留め部１２は、カバー本体１１を、矩形の長辺同士を突き合わせて閉じる、すなわち、カバー本体１１の開口部１１ａを閉じるように構成されている。
【００１６】
具体的には、留め部１２は、カバー本体１１の開口部１１ａ付近の両長辺に設けられた嵌合部材１３である。嵌合部材１３は、組となる第１嵌合部材１４と第２嵌合部材１５とで構成されている。第１嵌合部材１４は、カバー本体１１の長辺の一辺側に設けられ、下部に形成された嵌合突片部１４ａと上部に形成された嵌合凸部１４ｂとを有している。第２嵌合部材１５は、カバー本体１１の長辺の他辺側に設けられ、下部に設けられた嵌合孔１５ａと上部に設けられた嵌合凹部１５ｂとを有している。第１嵌合部材１４と第２嵌合部材１５とは、嵌合突片部１４ａと嵌合孔１５ａとが嵌合し、嵌合凸部１４ｂと嵌合凹部１５ｂとが嵌合するようになっている。嵌合部材１３は、カバー本体１１の矩形の長手方向に間隔をあけて複数組設けられている。一組の第１嵌合部材１４と第２嵌合部材１５とは、カバー本体１１の両長辺における矩形の長手方向の同一位置にそれぞれ設けられている。留め部１２が嵌合部材１３で構成されているので、第１嵌合部材１４と第２嵌合部材１５とを嵌合させるだけで、容易にカバー本体１１の開口部１１ａを閉じることができる。
【００１７】
カバー本体１１には、矩形の長手方向に伸び、カバー本体１１の厚みよりも薄い薄肉部１６が設けられている。薄肉部１６は、カバー本体１１の筒の外側面と内側面とに、対向して形成された２つの小さな凹みでもって構成されている。薄肉部１６は、カバー本体１１の矩形の短辺方向に等間隔をあけて、３箇所設けられている。カバー本体１１の各端部１７は、薄肉部１６により絞り込まれ、各端部１７の径が、カバー本体１１の筒の中央部１８の径よりも小さくなるように構成されている。具体的には、カバー本体１１の各端部１７は、各端部１７の薄肉部１６が折り曲げられ、端部１７の一部同士が互いに重ねられることにより絞り込まれ、それにより、端部１７の径は、中央部１８の径よりも小さくなっている。
【００１８】
薄肉部１６は、カバー本体１１の矩形の短辺方向に間隔をあけて２箇所以上８箇所以下設けられていることが好ましい。薄肉部１６が１箇所しか設けられなければ、カバー本体１１が撓みにくいので、各端部１７が絞り込みにくくなってしまう。一方、薄肉部１６を９箇所以上設けると、カバー本体１１の中央部１８の堅さが不十分になり、筒形状が保ちにくくなってしまう。
【００１９】
絶縁保護カバー１０は、電線４の種類によって、大小２種類の大きさに形成されている。大きい方の絶縁保護カバー１０においては、嵌合部材１３が設けられるカバー本体１１の矩形の長手方向の間隔Ｌ１は、１８０ｍｍである。また、大きい方の絶縁保護カバー１０のカバー本体１１の内径は、楕円の短軸Ｌ２が４０ｍｍ、長軸Ｌ３が５５ｍｍとなるように形成されている。小さい方の絶縁保護カバー１０は、Ｌ１が１５０ｍｍ、Ｌ２が３５ｍｍおよびＬ３が４０ｍｍとなるように形成されている。
【００２０】
図１にその一部を示す架空配電線１において、電柱２の上部には、水平方向に延びる上側、下側腕金３ａ，３ｂが取り付けられている。下側腕金３ｂは、上側腕金３ａに対してねじれの位置に取り付けられている。上側、下側腕金３ａ，３ｂの両端には、電柱２と、図示しない他の電柱との間に架設される電線４である上側、下側本線４ａ，４ｂの一端がそれぞれ接続されている。
【００２１】
各上側本線４ａの一端は、上側腕金３ａ側に配設された２つの上側碍子６ａと、上側碍子６ａに連続して設けられた上側引留クランプ７ａとによって絶縁されて、上側腕金３ａに接続されている。同様に、各下側本線４ｂの一端は、２つの下側碍子６ｂと下側引留クランプ７ｂとによって絶縁されて、下側腕金３ｂに接続されている。
【００２２】
各上側本線４ａと各下側本線４ｂとを電気的に接続するために、上側引留クランプ７ａと下側引留クランプ７ｂとが、電線４である縁回り電線４ｃによってそれぞれ連結されている。縁回り電線４ｃの上側本線４ａ側と下側本線４ｂ側とは、後述する導体露出部２２（図２に示す）によって連結され、導体露出部２２が絶縁保護カバー１０で覆われている。
【００２３】
図４〜図８に示すように、架空配電線１には、上述した接続部２０ａ（図４、図５および図８に示す）や分岐部２０ｂ（図６および図７に示す）等の電線接続部２０が設けられている。電線接続部２０の絶縁保護構造は、電線４と、導体露出部２２と、絶縁保護カバー１０とによって構成されている。電線４は、導体２３が絶縁被膜２４で被われて構成されている。導体露出部２２は、電線４の先端部の絶縁被膜２４をはぎ取って露出させた導体２３同士が、接続スリーブ２５で電気的に接続されている部分である。図７に示すように、分岐部２０ｂにおいては、分岐線４ｄの導体２３が、本線としての他の電線４とともに接続されている。導体露出部２２が絶縁保護カバー１０によって覆われることにより、電線接続部２０が絶縁保護されるようになっている。
【００２４】
絶縁保護カバー１０のカバー本体１１の筒の中央部１８には、導体露出部２２が収容されている。カバー本体１１の中央部１８に対応する開口部１１ａは、第１嵌合部材１４と第２嵌合部材１５との嵌合により閉じられている。カバー本体１１の両端部１７は、上述したように、薄肉部１６が折り曲げられることにより絞り込まれ、導体露出部２２から伸びる電線４に重ねられている。カバー本体１１に薄肉部１６が設けられているため、カバー本体１１が撓みやすくなるので、各端部１７を容易に絞り込むことができる。
【００２５】
電線接続部２０は、図１に示すように、２つの電線４を電気的に接続する縁回り電線４ｃ等にも設けられる。このとき、縁回り電線４ｃ等は、曲線状になっている場合がある。このような場合であっても、カバー本体１１が蛇腹状に形成されているため、導体露出部２２を収容することができる。すなわち、電線接続部２０の形状に合わせて、カバー本体１１を曲げることができるので、導体露出部２２を開口部１１ａから露出させることなく、嵌合部材１３により開口部１１ａを閉じることができる。さらに、カバー本体１１の両端部１７を絞り込んで、電線４に重ねることにより、カバー本体１１の両端部１７も閉じることができるので、導体露出部２２が絶縁保護カバー１０により包囲されて絶縁保護され、電線接続部２０の電気的安全性を確保することができる。
【００２６】
カバー本体１１の筒の両端部１７の上から、両端部１７の外側の電線４に亘って、絶縁性のテープ材２６（図４及び図６に示す）が巻かれている。これにより、カバー本体１１の両端部１７と電線４との密着度が増し、雨水の浸入を抑制することができるので、絶縁保護カバー１０の防水性を向上することができる。
【００２７】
次に、導体露出部２２への絶縁保護カバー１０取付方法について説明する。
【００２８】
まず、大きい方の絶縁保護カバー１０においては、カバー本体１１の矩形の長手方向の長さＬ４が、３０ｃｍであるものを用意する。小さい方の絶縁保護カバー１０においては、Ｌ４が２５ｃｍであるものを用意する。本発明の実施形態に係る絶縁保護カバー１０は、１つの導体露出部２２を収容する大きさに形成された定形物ではなく、あらかじめ長めに製造されている。このため、導体露出部２２を１つ有する電線接続部２０にも、導体露出部２２を複数有する電線接続部２０にも対応することができ、電線接続部２０の長さに拘わらず、導体露出部２２を絶縁保護することができる。
【００２９】
そして、絶縁保護カバー１０を取り付けようとする電線接続部２０の長さと、カバー本体１１の長さＬ４を対比する。図５または図７に示すように、導体露出部２２が１つである電線接続部２０の場合は、カバー本体１１の長さＬ４が導体露出部２２の長さよりも、例えば、１５ｃｍ長くなるように、カバー本体１１の長さを調節する。また、図８に示すように、導体露出部２２が複数並べられた電線接続部２０の場合は、複数の導体露出部２２の全長よりも、例えば、１５ｃｍ長くなるように、カバー本体１１の長さを調節する。これにより、導体露出部２２から延びて絶縁被膜２４で被われた電線４の一部までを被うことができるので、電線接続部２０の絶縁保護を確実に行うことのできる絶縁保護カバー１０とすることができる。
【００３０】
カバー本体１１の長さの調節は、カバー本体１１の伸縮、切断等により簡単に行うことができる。このため、電線接続部２０の長さに合わせた絶縁保護カバー１０を用意することができる。カバー本体１１の切断は、複数の嵌合部材１３間の１箇所を筒の軸方向に垂直な方向に切断して行う。なお、ここでいう垂直な方向とは、厳密な意味での垂直方向でなくてよい。
【００３１】
次に、カバー本体１１の形状を、電線接続部２０の形状に合わせる。導体露出部２２から電線４が曲がって伸びている電線接続部２０に取り付ける場合でも、カバー本体１１が蛇腹状に形成されているため、カバー本体１１を曲げて、電線接続部２０の形状に合わせることができる。このように、電線接続部２０の形状や大きさに合わせて、多種類の絶縁保護カバーを製造しなくても、１種類の絶縁保護カバー１０で様々な電線接続部２０に対応することができるので、絶縁保護カバー１０の製作コストを安くすることができる。
【００３２】
次に、カバー本体１１の開口部１１ａを開き、開口部１１ａから、導体露出部２２を挿入する。
【００３３】
カバー本体１１の中央部１８に導体露出部２２を収容し、中央部１８に対応する開口部１１ａを嵌合部材１３の嵌合により閉じる。カバー本体１１を電線接続部２０の形状に合わせているため、導体露出部２２を露出させずに開口部１１ａを閉じることができる。
【００３４】
次に、カバー本体１１の両端部１７を絞り込み、各端部１７の内径Ｌ２及びＬ３が、中央部１８の内径Ｌ２及びＬ３よりも小さくなるようにして、導体露出部２２から伸びる電線４に重ねる。具体的には、カバー本体１１の端部１７の薄肉部１６を折り曲げ、カバー本体１１を撓ませて、端部１７の一部同士を互いに重ねて端部１７を絞り込む。このとき、カバー本体１１の長さＬ４を導体露出部２２の長さよりも１５ｃｍ長くなるように調節しているため、導体露出部２２を収容しながら、カバー本体１１の両端部１７を絞り込むことができる。
【００３５】
カバー本体１１の両端部１７を絞り込んで、両端部を閉じることにより、導体露出部２２を絶縁保護カバー１０により包囲し、絶縁保護して、電線接続部２０の電気的安全性を確保することができる。
【００３６】
最後に、カバー本体１１の両端部１７の上から、両端部１７の外側の電線４に亘って、絶縁性のテープ材２６を巻く。これにより、カバー本体１１の両端部１７と電線４との密着度が増し、電線接続部２０の電気的安全性をより高めることができるとともに、雨水の浸入を抑制することができるので、絶縁保護カバー１０の防水性を向上することができる。
【００３７】
なお、上述の実施形態は、本発明の例示であって、本発明はこの例に限定されるものではない。
【００３８】
例えば、以下のような構成としてもよい。
【００３９】
すなわち、上記実施形態では、嵌合部材１３は、カバー本体１１の矩形の長手方向に間隔をあけて複数組設けたが、一組のみ設けてもよい。
【００４０】
また、上記実施形態では、カバー本体１１は断面が楕円形状となるように曲げたが、かかる形状には限定されない。
【００４１】
また、上記実施形態では、薄肉部１６は、カバー本体１１の筒の外側面と内側面とに、対向して形成された２つの小さな凹みでもって構成されるものとしたが、外側面または内側面のいずれか一方に形成された１つの凹みでもって構成されてもよい。
【００４２】
また、上記実施形態では、カバー本体１１の筒の各端部１７は、各端部１７の薄肉部１６を折り曲げて端部１７の一部を重ねたが、各端部１７の薄肉部１６を裂き、分割した端部片をそれぞれ重ねる等して絞り込んでもよい。
【００４３】
また、上記実施形態では、カバー本体の長さＬ４が２５ｃｍまたは３０ｃｍである絶縁保護カバー１０を用意するものとしたが、かかる長さには限定されず、Ｌ４が２５ｃｍ以上であればよい。
【００４４】
また、上記実施形態では、カバー本体１１の長さＬ４を導体露出部２２の長さよりも１５ｃｍ長くなるように調節しているが、かかる長さには限定されず、１５ｃｍ以上であればよい。
【産業上の利用可能性】
【００４５】
以上説明したように、本発明は、電線接続部の形状に拘わらず、導体露出部を絶縁保護するできるので絶縁保護カバー、絶縁保護構造、絶縁保護カバーの取付方法等について有用である。
【図面の簡単な説明】
【００４６】
【図１】架空配電線の一部を示す斜視図である。
【図２】本発明の実施形態に係る絶縁保護カバーの側面図である。
【図３】図２のIII−III線断面図である。
【図４】絶縁保護カバーを取り付けた接続部を示す側面図である。
【図５】図４の接続部における図３のＶ−Ｖ線相当断面図である。
【図６】絶縁保護カバーを取り付けた分岐部を示す側面図である。
【図７】図６の分岐部における図３のＶ−Ｖ線相当断面図である。
【図８】絶縁保護カバーを取り付けた、導体露出部が２つ並んだ接続部における図３のＶ−Ｖ線相当断面図である。
【符号の説明】
【００４７】
１    架空配電線
４    電線
１０  絶縁保護カバー
１１  カバー本体
１２  留め部
１３  嵌合部材
１６  薄肉部
１７  端部
１８  中央部
２０  電線接続部
２２  導体露出部
２３  導体
２４  絶縁被膜
２５  シール材
【図１】
2007288884.tif 000003
【図２】
2007288884.tif 000004
【図３】
2007288884.tif 000005
【図４】
2007288884.tif 000006
【図５】
2007288884.tif 000007
【図６】
2007288884.tif 000008
【図７】
2007288884.tif 000009
【図８】
2007288884.tif 000010